(57)【要約】【課題】根強い草であっても挟持片で確実に抜き取れ、その挟持片に強く付着する草や土でも確実に払い出し可能な草取り器具を構成する。【解決手段】第１の挟持片６０を挟み箆６０ａの上寄り板面で基枠フレーム３にあてがい固定し、第２の挟持片６１を揺動板６１ａ，６１ｂの屈曲位置より第１の挟持片６０の軸受け片６０ｂ，６０ｃに挿通する枢軸ピン６１ｆ，６１ｇで軸承支持し、第２の挟持片６１の連結ピン６１ｃをレバー操作で上方移動する作動プレート５の掛止め片５１ａ，５１ｂと係合させて草の挟持部６を組み立て、挟み箆６０ａの板面と摺接する払い箆８を第１の挟持片６０に備え、その払い箆６０を作動プレート５と一体に上下動可能に備え付けると共に、第２の挟持片６１の挟み片６１ｃと摺接する払い片９１を有するスライド枠９を備え、このスライド枠９を払い箆８で上下に誘導可能に備え付ける。【選択図】  図３
2004344112.tif 000002
【特許請求の範囲】
【請求項１】
所定の長さを有する筒状の支持シャフトと、支持シャフトの上端寄り軸線上に設けられる操作レバーと、支持シャフトの下端側に取り付けられる基枠フレームと、基枠フレームの内側にスプリングで上下動可能に組み付けられる作動プレートと、基枠フレームの外側に作動プレートで動作可能に組み付けられる草の挟持部とを備え、操作レバーと作動プレートとを支持シャフトの筒内に挿通する牽引ワイヤで連結し、使用者が立ち姿勢のまま支持シャフトの上端寄りを持って草の挟持部を操作レバーで動作させる草取り器具において、
草の挟持部は、下寄り板面を草挟み部とする挟み箆と、挟み箆の上寄り両側縁から相平行に突出する軸受け片とを有する第１の挟持片を備えると共に、第１の挟持片を介して相対向する略ヘの字状の揺動板と、揺動板の片端間に亘る挟み片と、揺動板の他端間に亘る連結ピンとを有する第２の挟持片を備え、軸受け片を基枠フレームより外方に向けて第１の挟持片を挟み箆の上寄り板面で基枠フレームの側面にあてがい固定し、第２の挟持片を揺動板の屈曲位置より第１の挟持片の軸受け片に挿通する枢軸ピンで軸承支持し、第２の挟持片の連結ピンを作動プレートの下端寄りから第１の挟持片の軸受け片と反対側に突出する掛止め片と係合させて組み立て、
第１の挟持片には、挟み箆の板面と摺接する払い箆を備え、その払い箆を挟み箆の板面に設けた縦長穴の下寄り穴内に挿通する支軸ピンで作動プレートに取り付けて作動プレートと上下動可能に備え付け、第２の挟持片には、縦長穴を板面に設けた両側の相対向する支持板と、支持板の下端間に亘って挟み片と摺接する払い片とを有するスライド枠を備え、揺動板の枢軸ピン並びに揺動板の板面から内方に突出するガイドピンを支持板の縦長穴に挿通させてスライド枠を揺動板の内側に組み付け、更に、突片を支持板の上端寄りに設けると共に、突片よりも縦長な切欠を払い箆の側縁に設け、突片を切欠の内側に位置させてスライド枠を払い箆で上下に誘導可能に備え付けたことを特徴とする草取り器具。
【発明の詳細な説明】
【０００１】
【発明の属する技術分野】
本発明は、使用者が立ち姿勢のままで芝庭等に生える草を摘み取るよう構成する草取り器具に関するものである。
【０００２】
【従来の技術】
従来、使用者が立姿勢で使用可能な草取り器具としては、所定の長さを有する支持シャフトを主軸とし、操作レバーを支持シャフトの上端寄り軸線上に設けると共に、草の挟持部を支持シャフトの下端側に備え、操作レバーと草の挟持部とを支持シャフトの筒内に挿通する牽引ワイヤで連結し、使用者が立ち姿勢のまま支持シャフトの上端寄りを手で持ち、操作レバーを支持シャフトの軸線と近接する方向に手で握り寄せて草の挟持部を動作させるものが提案されている（特許文献１）。
【０００３】
その草の挟持部は、基枠フレームを支持シャフトの下端寄りに取り付け、第１の挟持片を支持シャフトの下端側から下方に延びるよう基枠フレームの側面にあてがい固定し、揺動フレームを基枠フレームの外側に支軸で軸承枢着し、第２の挟持片を揺動フレームの下端側に設け、揺動フレームを操作レバーで揺動させて第１，第２の挟持片を近接動し、草を挟持片の先端間で挟み取れるよう構成されている。
【０００４】
その草取り器具では、操作レバーを手で握る使用者の力を草の挟持力として作用するものであるため、根強い草であっても確実に抜き取れる。また、操作レバーの握りを解除すれば、第２の挟持片が第１の挟持片より離間動することから、挟み取った草を第１，第２の挟持片より排出できる。但し、この草の排出は第２の挟持片が第１の挟持片より離間動することに頼るものであるため、第１乃至は第２の挟持片に強く付着した草を確実に排出できるとは限らない。
【０００５】
【特許文献１】
特開２００２−１４２５０１号
【０００６】
【発明が解決しようとする課題】
本発明は、使用者の力を草の挟持力として作用することから、根強い草であっても挟持片で確実に抜き取れるばかりでなく、草を摘み取る挟持片に強く付着した草や土でも確実に払い出し可能な草取り器具を提供することを目的とする。
【０００７】
【課題を解決するための手段】
本発明の請求項１に係る草取り器具においては、所定の長さを有する筒状の支持シャフトと、支持シャフトの上端寄り軸線上に設けられる操作レバーと、支持シャフトの下端側に取り付けられる基枠フレームと、基枠フレームの内側にスプリングで上下動可能に組み付けられる作動プレートと、基枠フレームの外側に作動プレートで動作可能に組み付けられる草の挟持部とを備え、操作レバーと作動プレートとを支持シャフトの筒内に挿通する牽引ワイヤで連結し、使用者が立ち姿勢のまま支持シャフトの上端寄りを持ってち、草の挟持部を操作レバーで動作させるもので、
草の挟持部は、下寄り板面を草挟み部とする挟み箆と、挟み箆の上寄り両側縁から相平行に突出する軸受け片とを有する第１の挟持片を備えると共に、第１の挟持片を介して相対向する略ヘの字状の揺動板と、揺動板の片端間に亘る挟み片と、揺動板の他端間に亘る連結ピンとを有する第２の挟持片を備え、軸受け片を基枠フレームより外方に向けて第１の挟持片を挟み箆の上寄り板面で基枠フレームの側面にあてがい固定し、第２の挟持片を揺動板の屈曲位置より第１の挟持片の軸受け片に挿通する枢軸ピンで軸承支持し、第２の挟持片の連結ピンを作動プレートの下端寄りから第１の挟持片の軸受け片と反対側に突出する掛止め片と係合させて組み立て、
第１の挟持片には、挟み箆の板面と摺接する払い箆を備え、その払い箆を挟み箆の板面に設けた縦長穴の穴下寄りに挿通する支軸ピンで作動プレートに取り付けて作動プレートと一体に上下動可能に備え付け、第２の挟持片には、縦長穴を板面に設けた両側の相対向する支持板と、支持板の下端間に亘って挟み片と摺接する払い片とを有するスライド枠を備え、揺動板の枢軸ピン並びに揺動板の板面から内方に突出するガイドピンを支持板の縦長穴に挿通させてスライド枠を揺動板の内側に組み付け、更に、突片を支持板の上端寄りに設けると共に、突片よりも縦長な切欠を払い箆の側縁に設け、突片を切欠の内側に位置させてスライド枠を払い箆で上下に誘導可能に備え付けることにより構成されている。
【０００８】
【発明の実施の形態】
以下、添付図面を参照して説明すると、図示実施の形態に係る草取り器具は、図１で示すように使用者が立ち姿勢のままで握れるグリップ部１０を上端側に設けた支持シャフト１を主軸とし、使用者がグリップ部１０を手で握って作動させる操作レバー２と、支持シャフト１の下端側に取り付けられる基枠フレーム３と、基枠フレーム３の内側にスプリング４で上下動可能に組み付けられる作動プレート５と、基枠フレーム３の外側に作動プレート５で動作可能に組み付けられる草の挟持部６とを備え、操作レバー２と作動プレート５とを支持シャフト１の筒内に挿通する牽引ワイヤ７で連結することにより構成されている。
【０００９】
その構成各部は、主に、支軸シャフト１の上端側に被覆したゴム部材のグリップ部１０を除いて金属部材から形成されている。支持シャフト１は、所定の長さを有する円筒状のパイプ部材で形成されている。
【００１０】
操作レバー２は、レバー本体２０，作動片２１，ガイドピン２２を備えて組み付けられている。レバー本体２０は、支持シャフト１の軸線上に支軸２３で枢着する基部側よりグリップ部１０と離間方向の斜め上方に延びるよう取り付けられている。作動片２１は、レバー本体２０の略中腹に支軸２４で枢着する下端側よりグリップ部１０に向けて斜め上方に位置するよう取り付けられている。ガイドピン２２は、ピン端を支持シャフト１の軸線と直交する方向の側方に突出させて作動片２１の軸線上に挿通固定されている。
【００１１】
操作レバー２のガイドピン２２は、図２で示すように支持シャフト１の筒面まで開口する縦長のスリット１１をグリップ部１０の下部寄りに設け、ピン両端をスリット１１の開口縁に沿ってスライド可能に当接配置し、支持シャフト１の筒内に挿通する牽引ワイヤ７を上端側で軸線上に絡め止めることにより支持シャフト１の軸線上に組み付けられている。
【００１２】
その操作レバー２は、基部側の支軸２３を支点に、レバー本体２０をグリップ部１０と近付ける方向に握り操作する（図１中、矢印方向）と、ガイドピン２２がピン両端でスリット１１の開口縁に沿って上方にスライドし、作動片２１が支持シャフト１の軸線と同方向に立ち上がって牽引ワイヤ７の条線をガイドピン２２で引張ると共に、作動プレート５を上方に移動させて草の挟持部６を動作させるよう備え付けられている。
【００１３】
図３〜図６により他の構成各部を説明すると、基枠フレーム３は、湾曲部の下端寄りを切り欠いた横断面Ｕ字状の主フレーム部３０と、下端側を主フレーム部３０より下方に延在する横断面コ字状の副フレーム部３１とから組み立てられている。主フレーム部３０は、湾曲部を支持シャフト１の下端寄り側面にあてがってリベット３２ａ，３２ｂ（図４参照）で支持シャフト１に軸止め固定されている。副フレーム部３１は、両側の立上りフランジを主フレーム部３０の開放側に嵌め合せてリベット３３ａ，３３ｂ（図３参照、片側のみ）で主フレーム部３０に軸止め固定されている。
【００１４】
作動プレート５のスプリング４としては、コイルスプリングが備え付けられている。このコイルスプリング４は、後述する作動プレート５の主軸部を内側に受け入れて支持シャフト１の軸下端と作動プレート５の掛止め片との間で伸縮自在に介装配置されている（図４参照）。
【００１５】
作動プレート５は、縦長な横断面コ字状の主軸部５０と、主軸部５０の下端寄り両縁から突出する掛止め片５１ａ，５１ｂと、主軸部５０の上端縁からコの字内に折れ曲がる牽引ワイヤ７の連結片５２とから形成されている。このうち、主軸部５０は上端側を支持シャフト１の径内に挿置させて上下動可能な大きさに折り曲げられている（図４並びに図５参照）。掛止め片５１ａ，５１ｂには、後述する第２の挟持片の連結ピンを係止するくわえ込み口５３が形成されている。
【００１６】
草の挟持部６は、支持シャフト１の下端寄りに取り付けられる基枠フレーム３をベースとし、第１の挟持片６０，第２の挟持片６１を備えて組み立てられている。
【００１７】
第１の挟持片６０は、下寄りを草挟み部とする平板状の挟み箆６０ａと、挟み箆６０ａの上寄り両側縁から相平行に突出する軸受け片６０ｂ，６０ｃとを備えて形成されている。その他、第１の挟持片６０には挟み箆６０ａの先端側より斜め上方に折れ曲がる接地箆６０ｄが設けられている。この第１の挟持片６０は、挟み箆６０ａの先端側を下方に突き出させて基枠フレーム３の副フレーム部３１にあてがい固定されている。
【００１８】
第２の挟持片６１は、第１の挟持片６０を介して相対向する略ヘの字状の揺動板６１ａ，６１ｂと、揺動板６１ａ，６１ｂの片端間に亘る挟み片６１ｃと、揺動板６１ａ，６１ｂの他端間に亘る連結ピン６１ｄとを備えて形成されている。この構成中、挟み片６１ｃは揺動板６１ａ，６１ｂの片端相互を連結する橋絡辺６１ｅから下方に折り曲げて設けられている。
【００１９】
第２の挟持片６１は、枢軸ピン６１ｆ，６１ｇを揺動板６１ａ，６１ｂの屈曲位置に設けた受け穴６１ｈ，６１ｉより軸受け片６０ｂ，６０ｃの受け穴６０ｆ，６０ｇに挿通することから、第１の挟持片６０の軸受け片６０ｂ，６０ｃで軸承支持されている。また、連結ピン６１ｄを掛止め片５１ａ，５１ｂのくわえ込み口５３で係止する（図４並びに図６参照）ことにより、作動プレート５の上下動に伴って枢軸ピン６１ｆ，６１ｇを支点に揺動可能に取り付けられている。
【００２０】
第１の挟持片６０には、挟み箆６０ａの板面に向けて折り曲げた上下端寄りを挟み箆６０ａの板面と摺接する払い箆７が備えられている。その払い箆８は、挟み箆６０ａの板面に設けた縦長穴６０ｆの下寄り穴内に挿通する支軸ピン８０で作動プレート５に取り付けて一体に上下動するよう備え付けられている。
【００２１】
払い箆８の支軸ピン８０は、下寄り板面に設けた止め穴８１から挟み箆６０ａの縦長穴６０ｆを介して作動プレート５の止め穴５４に挿通することからカシメ止められている。なお、基枠フレーム３の副フレーム部３１が挟み箆６０ａの先端寄りまで延びるため、支軸ピン８０は副フレーム部３１の板面に設けた縦長穴３４にも挿通されている。
【００２２】
その払い箆８は、縦長穴８２を支軸ピン８０の止め穴８１より上部側の板面に設け、挟み箆６０ａの板面に設けた通し穴６０ｇから副フレーム部３１の板面に設けたネジ穴３５に螺着する螺子ピン８３を縦長穴８２の穴内に嵌め合せることにより、上下動が挟み箆６０ａの縦長穴６０ｆ並びに副フレーム部３１の縦長穴３４に挿通する支軸ピン８０とによりガイド可能に取り付けられている。螺子ピン８３は、ピン頭を縦長穴８２の穴内に嵌め合せられるようワッシャ８４ａ，８４ｂを挟み込んでネジ止めされている。
【００２３】
第２の挟持片６１には、両側の相対向する支持板９０ａ，９０ｂと、支持板９０ａ，９０ｂの下端間に亘って挟み片６１ｃと摺接する払い片９１とを有するスライド枠９が備えられている。その構成中、払い片９１は支持板９０ａ，９０ｂの片端間を連結する橋絡辺から下方に折り曲げて設けられている。また、支持板９０ａ，９０ｂの板面には同じ長さの縦長穴９３ａ，９３ｂが設けられている。
【００２４】
そのスライド枠９は、揺動板６１ａ，６１ｂの枢軸ピン６１ｇ，６１ｆ並びに揺動板６１ａ，６１ｂの板面の板面に設けた止め穴６１ｊ，６１ｋから内方に突出するガイドピン６１ｌ，６１ｍを支持板９０ａ，９０ｂの縦長穴９３ａ，９３ｂに挿通することにより、挟み片６１ｃが設けられた揺動板６１ａ，６１ｂの内側で上下動可能に組み付けられている。
【００２５】
そのスライド枠９は、突片９４ａ，９４ｂを支持板９０ａ，９０ｂの上端寄りに設けると共に、突片９４ａ，９４ｂよりも縦長な切欠８３ａ，８３ｂを払い箆８の側縁に設けることにより、突片９４ａ，９４ｂを切欠８３ａ，８３ｂの内側に位置させて払い箆８で上下に誘導可能に備え付けられている。
【００２６】
このように構成する草取り器具は、草の挟持部６を操作レバー２で作動させないと、作動プレート５がスプリング４で下方に引張されているため、図７で示すように第２の挟持片６１が第１の挟持片６０から離間するよう保たれている。草を抜き取る際は、使用者が立ち姿勢のままグリップ部１０を手で持って支持シャフト１の下端側に備え付けた草の挟持部６を草の生え際に接地することから作業を行えるため、上半身を屈めるような無理な姿勢をとらないでよく体に負担が掛からない。
【００２７】
草を抜き取るには、まず、図８で示すように第１の挟持片６の挟み箆６０ａを草の生え際近くに向けて接地片６０ｄを地面に当てる。これにより、草が第１の挟持片６０の挟み箆６０ａと第２の挟持片の挟み片６１ｃとの間に位置する。次に、操作レバー２を握り操作すると、操作レバー２のガイドピン２２がピン端でスリット１１の開口縁に沿って上方にスライドすると共に、作動片２１が支持シャフト１の軸線と同方向に立ち上ることから、牽引ワイヤ７がガイドピン２２で上方に引っ張られる。
【００２８】
その牽引ワイヤ７の引張りに伴っては、図９並びに図１０で示すように作動プレート５がスプリング４に抗して上方に移動すると共に、作動プレート５が掛止め片５１ａ，５１ｂのくわえ込み口５３で係止した連結ピン６１ｄを引き上げることから、第２の挟持片６１が挟み片６１ｃを第１の挟持片６０の挟み箆６０ａに向けて枢軸ピン６１ｆ，６１ｇを支点に近接揺動する。これにより、草を挟み片６１ｃと挟み箆６０ａの先端とで挟み込める。
【００２９】
その草の挟持動作と共に、払い箆８が支軸ピン８０で一体に取り付けられた作動プレート５の上方移動に伴って第１の挟持片６０より上方に移動する。また、図１１で示すようにスライド枠９が払い箆８の切欠８３ａ，８３ｂと係合する突片９４ａ，９４ｂで引き上げられることから、払い片９１を挟み片６１ｃより離間する上方にスライド移動する。
【００３０】
草を挟み片６１ｃと挟み箆６０ａとで挟み込んでから、操作レバー２を握ったまま保持すると、使用者の力が挟み片６１ｃと挟み箆６０ａとによる草の挟持力として作用できるから、根強い草であっても、挟み片６１ｃと挟み箆６０ａとで確実に抜き取れる。
【００３１】
草の抜取り後は、操作レバー２の握りを解除すると、今まで圧縮状態にあったスプリング４が伸長動し、作動プレート５がスプリング４で下方にバネ押圧される。これに伴って、掛止め片５１ａ，５１ｂのくわえ込み口５３で係止した連結ピン６１ｄが下方に移動することにより挟み片６１ｃを挟み箆６０ａから離間するよう揺動復帰するため、挟み片６１ｃと挟み箆６０ａとで抜き取った草を解放できる。
【００３２】
それと共に、払い箆８が挟み箆６０ａの板面と摺接しながら作動プレート５と一体に下方移動することから、草や土等が挟み箆６０ａの先端寄りに付着していても払い箆８で確実に排除できる。一方、スライド枠９は突片９４ａ，９４ｂが払い箆８の切欠８３ａ，８３ｂで下方に蹴り下げられるため、払い片９１が挟み片６１ｃの板面と摺接し、これ亦、草や土等が挟み片６１ｃの板面に付着していてもスライド枠９の払い片９１で確実に排除できる。
【００３３】
上述した用語及び表現は単に説明のために用いたものに過ぎず、本発明の内容を何ら限定するものではない。仮に、限定的な用語や表現を用いたとしても、このことにより、上述した本発明の形態と均等なものやその一部を排除する意図はない。このため、権利が要求されている本発明の範囲内で種々の変更が加えられる。
【００３４】
【発明の効果】
以上の如く、本発明に係る草取り器具に依れば、挟み箆の板面と摺接する払い箆を第１の挟持片に備え、その払い箆を作動プレートと一体に上下動可能に備え付けると共に、第２の挟持片の挟み片と摺接する払い片を有するスライド枠を備え、このスライド枠を払い箆で上下に誘導可能に備え付けることにより、草を第１並びに第２の挟持片で確実に抜き取れるばかりでなく、草や土を第１並びに第２の挟持片から確実に払出し排除できる。
【図面の簡単な説明】
【図１】本発明に係る草取り器具を支持シャフトの中間省略で全体的に示す側面図である。
【図２】図１の草取り器具におけるグリップ部をＡ−Ａ線で示す断面図である。
【図３】図１の草取り器具における草の挟持部を構成部材毎に展開させて示す斜視図である。
【図４】図１の草取り器具における草の挟持部を組立状態で示す側断面図である。
【図５】図１の草取り器具における草の挟持部をＢ−Ｂ線で示す断面図である。
【図６】図１の草取り器具における草の挟持部を主に示す側面図である。
【図７】図１の草取り器具における草の挟持部を通常状態で示す俯角斜視図である。
【図８】図１の草取り器具における草の挟持部を初期状態で示す使用説明図である。
【図９】図１の草取り器具における草の挟持部を作動状態で示す使用説明図である。
【図１０】図９の草の挟持部を示す側断面図である。
【図１１】図９の草の挟持部を示す俯角斜視図である。
【符号の説明】
１              支持シャフト
２              操作レバー
３              基枠フレーム
４              スプリング
５              作動プレート
５１ａ，５１ｂ    掛止め片
６              草の挟持部
６０            第１の挟持部
６０ａ          挟み箆
６０ｂ，６０ｃ    軸受け片
６０ｆ          挟み箆の縦長穴
６１            第２の挟持片
６１ａ，６１ｂ    揺動板
６１ｃ          挟み片
６１ｄ          連結ピン
６１ｆ，６１ｇ    枢軸ピン
７              牽引ワイヤ
８              払い箆
８０            支軸ピン
８３ａ，８３ｂ    切欠
９              スライド枠
９０ａ，９０ｂ    支持板
９１            払い片
９３ａ，９３ｂ    縦長穴
９４ａ，９４ｂ    突片
【図１】
2004344112.tif 000003
【図２】
2004344112.tif 000004
【図３】
2004344112.tif 000005
【図４】
2004344112.tif 000006
【図５】
2004344112.tif 000007
【図６】
2004344112.tif 000008
【図７】
2004344112.tif 000009
【図８】
2004344112.tif 000010
【図９】
2004344112.tif 000011
【図１０】
2004344112.tif 000012
【図１１】
2004344112.tif 000013